(57)【特許請求の範囲】
【請求項１】
キャリア・アグリゲーションシステムにおける測定タスクの処理方法であって、
ハンドオーバ、再確立又は再構成を行う場合、ネットワーク要素が、全てのソースＳｃｅｌｌ（Ｓｅｃｏｎｄａｒｙ  Ｃｅｌｌ）に関連する測定タスクを削除し、又は削除されたソースＳｃｅｌｌにおける、Ｓｃｅｌｌに関連する全ての測定タスクを削除する
ことを特徴とする方法。
【請求項２】
前記ネットワーク要素は、ユーザ装置と基地局のうちの１つを少なくとも含む
ことを特徴とする請求項１に記載の方法。
【請求項３】
再構成／ハンドオーバ／再確立プロセスにおいて、前記ソースＳｃｅｌｌに対する削除操作が実行される
ことを特徴とする請求項１に記載の方法。
【請求項４】
ソースＳｃｅｌｌが、測定対象が存在する別の周波数に再構成された場合、当該ソースＳｃｅｌｌに関連する測定タスクは削除されず、ソースＳｃｅｌｌに関連する測定タスクに対応する測定対象が再構成後の周波数の測定対象に変更され
その他の場合、当該ソースＳｃｅｌｌに関連する測定タスクが削除される
ことを特徴とする請求項１に記載の方法。
【請求項５】
構成された後、削除されたソースＳｃｅｌｌの周波数と同じ周波数の新しいＳｃｅｌｌが存在しない場合、又はソースＳｃｅｌｌに対応するキャリア識別子が存在しない場合、ソースＳｃｅｌｌが削除される
ことを特徴とする請求項１に記載の方法。
【請求項６】
ソースＳｃｅｌｌのキャリア識別子の変更ではなく、当該ソースＳｃｅｌｌの周波数の変更によって、ソースＳｃｅｌｌが、測定対象が存在する別の周波数に再構成される
ことを特徴とする請求項１に記載の方法。
【請求項７】
ソース基地局によってＵＥのために構成された測定対象が新しいＰｃｅｌｌ（Ｐｒｉｍａｒｙ  Ｃｅｌｌ）のキャリア周波数を含み、測定タスクに関連する測定対象が、ターゲットＰｃｅｌｌの属する周波数である場合、対応する測定対象が新しいＰｃｅｌｌの属する周波数の測定対象に変更され、
測定タスクに関連する測定対象が、ソースＰｃｅｌｌの属する周波数である場合、測定対象が新しいＰｃｅｌｌの属する周波数の測定対象に変更され、
その他の場合、ソースＰｃｅｌｌの属する周波数に対応する測定タスクが削除され、
その結果、ソースＰｃｅｌｌとターゲットＰｃｅｌｌが異なる周波数に属する
ことを特徴とする請求項１〜６のいずれか１項に記載の方法。
【請求項８】
ソースＰｃｅｌｌがＳｃｅｌｌに変更され、且つＳｃｅｌｌがＰｃｅｌｌに変更された場合、上記Ｐｃｅｌｌ及びＳｃｅｌｌの測定タスクは処理されない
ことを特徴とする請求項７に記載の方法。
【請求項９】
ソースプライマリキャリア周波数及びセカンダリキャリア周波数を除くキャリア周波数を測定対象とする測定タスクが存在する場合、前記測定タスクは保留される
ことを特徴とする請求項１に記載の方法。
【請求項１０】
キャリア・アグリゲーションシステムにおける測定タスクの処理システムであって、
ハンドオーバ、再確立又は再構成を行う場合、ソースＳｃｅｌｌに関連する全ての測定タスクを削除し、又は削除されたソースＳｃｅｌｌにおけるＳｃｅｌｌに関連する全ての測定タスクを削除する削除ユニット
を含むことを特徴とするシステム。
【請求項１１】
前記システムは、
再構成ユニットと変更ユニットを更に含み、
前記再構成ユニットは、ソースＳｃｅｌｌを、測定対象が存在する別の周波数に再構成し、
前記削除ユニットは、当該再構成されたソースＳｃｅｌｌに関連する測定タスクを削除せず、
前記変更ユニットは、ソースＳｃｅｌｌに関連する測定タスクに対応する測定対象を、再構成後の周波数の測定対象に変更する
ことを特徴とする請求項１０に記載のシステム。
【請求項１２】
前記ソースＳｃｅｌｌが削除されるプロセスでは、
構成された後、削除されたソースＳｃｅｌｌの周波数と同じ周波数の新しいＳｃｅｌｌは存在せず、又は
ソースセカンダリサービングセルＳｃｅｌｌに対応するキャリア識別子が存在しない
ことを特徴とする請求項１０に記載のシステム。
【請求項１３】
ソースＳｃｅｌｌのキャリア識別子が変更されず、当該ソースＳｃｅｌｌの周波数が変更されることによって、ソースＳｃｅｌｌが、測定対象が存在する別の周波数に再構成される
ことを特徴とする請求項１０に記載のシステム。
【請求項１４】
前記変更ユニットは、
ソース基地局によってＵＥのために構成された測定対象が、新しいＰｃｅｌｌのキャリア周波数を含み、測定タスクに関連する測定対象がターゲットＰｃｅｌｌの属する周波数である場合、対応する測定対象を新しいＰｃｅｌｌの属する周波数の測定対象に変更し、測定タスクに関連する測定対象がソースＰｃｅｌｌの属する周波数である場合、測定対象を新しいＰｃｅｌｌの属する周波数の測定対象に変更し、その他の場合、ソースＰｃｅｌｌの属する周波数に対応する測定タスクを削除し、その結果、ソースＰｃｅｌｌとターゲットＰｃｅｌｌが異なる周波数に属する
ことを特徴とする請求項１１に記載のシステム。
【請求項１５】
前記システムは、
ソースプライマリキャリア周波数及びセカンダリキャリア周波数を除くキャリア周波数を測定対象とする測定タスクが存在する場合、前記測定タスクを保留する保留ユニット
を更に含むことを特徴とする請求項１０に記載のシステム。
【発明の詳細な説明】
【技術分野】
【０００１】
本発明は、測定タスクの処理技術に関し、特に、キャリア・アグリゲーションシステムにおける測定タスクの処理方法及び処理システムに関する。
【背景技術】
【０００２】
ロング・ターム・エボリューション（ＬＴＥ：Ｌｏｎｇ  Ｔｅｒｍ  Ｅｖｏｌｕｔｉｏｎ）システムの無線リソース制御（ＲＲＣ：Ｒａｄｉｏ  Ｒｅｓｏｕｒｃｅ  Ｃｏｎｔｒｏｌ）層は、主に、ブロードキャスト（Ｂｒｏａｄｃａｓｔ）、ページング（Ｐａｇｉｎｇ）、無線リソース制御接続管理、無線ベアラ制御、モバイル管理及び端末測定報告制御を担う。
【０００３】
ＲＲＣが無線リソース制御接続管理を実行する場合に、ｅＮＢ（Ｅ−ＵＴＲＡＮ  ＮｏｄｅＢ）からユーザ装置（ＵＥ：Ｕｓｅｒ  Ｅｑｕｉｐｍｅｎｔ）に送信されたダウンリンクＲＲＣメッセージは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を介してＰＤＳＣＨリソースが動的にスケジューリングされた後、スケジューリングされたＰＤＳＣＨリソースにおいてＵＥに送信される。
【０００４】
ＬＴＥシステムにおいては、ダウンリンクＲＲＣメッセージのＰＤＳＣＨリソース消耗を減少させるために、ダウンリンクＲＲＣメッセージは、デルタシグナリング（ｄｅｌｔａ  ｓｉｇｎａｌｉｎｇ）構成によって送信される。即ち、ＵＥは、ＲＲＣメッセージを受信した後、元の構成情報に基づき、デルタシグナリングに応じて、一部の構成に対して増加、削除、変更を実行し、完全な新しい構成を取得する。変更されていない大部分の構成の情報は、無線インターフェースを介して送信されなくてもよいので、無線インターフェースリソースが節約される。
【０００５】
図１はＬＴＥシステムにおけるハンドオーバのフローチャートである。図１に示すように、ＬＴＥシステムにおいては、ソース基地局がハンドオーバ判定を行ってハンドオーバの実行を決定する。その後、ソース基地局は、ハンドオーバ要求コマンドを、基地局間のＸ２インターフェース又は基地局とＭＭＥとの間のＳ１インターフェースを介してターゲット基地局に送信する。このコマンドには、ソース基地局におけるＵＥのコンテキスト情報が含まれている。
【０００６】
ターゲット基地局は、ハンドオーバ要求コマンドを受信した後、ハンドオーバ要求応答コマンドを介してＵＥのための構成情報をソース基地局に送信する。ソース基地局は、ハンドオーバ要求応答コマンドを受信した後、ターゲット基地局からのＵＥのための構成情報を、ハンドオーバコマンドを介してＵＥに送信する。
【０００７】
ＵＥは、ハンドオーバコマンドを受信した後、当該コマンドにおける構成情報に応じて、ターゲット基地局にアクセスし、アクセスに成功した後、ハンドオーバ完了コマンドをターゲット基地局に送信する。図２はＬＴＥシステムにおけるＲＲＣ再確立のフローチャートである。図２に示すように、ＲＲＣ再確立の実行が決定されると、ＵＥはＲＲＣ再確立要求をサービング基地局に送信する。
【０００８】
サービング基地局は、ＲＲＣ再確立要求を受信した後、ＲＲＣ再確立コマンドをＵＥに送信する。ＵＥはＲＲＣ再確立プロセスの実行が完了した後、ＲＲＣ再確立完了メッセージを基地局に返す。一般的に、ＲＲＣ再確立が完了した後、基地局はＲＲＣ再構成プロセスをもう一度実行する。
【０００９】
接続状態において、測定の具体的なプロセスでは、ネットワーク側が測定制御メッセージをＵＥに送信する。測定制御メッセージには、測定識別子、測定対象、レポート構成及び測定に関する他の属性が含まれる。測定識別子は、測定対象とレポート構成を関連付けて完全な測定タスクを形成する。
【００１０】
測定対象は、測定対象属性（例えば、キャリア周波数、隣接セルリスト等）を含み、キャリア周波数ごとに１つの測定対象のみが構成される。レポート構成はレポート構成属性（例えば、イベントトリガー又は周期的報告、トリガーされたイベント定義（Ａ１、Ａ２…）、報告回数等）を含む。
【００１１】
ＵＥは、測定制御メッセージにおける測定対象とレポート構成に応じて、測定と評価を実行し、測定結果に応じて測定レポートを生成し、測定レポートをネットワーク側に報告する。
【００１２】
ＲＲＣ再確立後の、ハンドオーバ及びＲＲＣ再構成シグナリングの消耗を低減させるために、ＵＥは、異周波数ハンドオーバ又は再確立プロセスにおいて、測定タスクに対して次のような処理（以下、測定タスク処理と略称する）を行う。
【００１３】
サービングセル（ハンドオーバ又は再確立前のセルであり、ソース側と称する）がＵＥのために構成した測定対象（ＭＯ：Ｍｅａｓｕｒｅｍｅｎｔ  Ｏｂｊｅｃｔ）に、ターゲットセル（ハンドオーバ又は再確立後のセルであり、ターゲット側と称する）のキャリア周波数が含まれる場合、ＵＥはサービングセルの属するキャリア周波数の測定対象とターゲットセルの属するキャリア周波数の測定対象とを処理する。
【００１４】
即ち、測定タスク処理後には、ソースサービングセルの属するキャリア周波数の測定対象に対応する測定識別子は、ターゲットセルの属するキャリア周波数の測定対象に対応する。また、ターゲットセルの属するキャリア周波数の測定対象に対応する測定識別子は、ソースサービングセルが属するキャリア周波数の測定対象に対応する。
【００１５】
一方、図３に示すように、ソースサービングセルが属する周波数に対応する測定タスクは削除される。図３はＬＴＥシステムにおける測定タスク処理のフローチャートである。
【００１６】
図３に示すように、具体的な測定タスク処理プロセスにおいては、ソースセル（即ち図３のサービングセル）の属するキャリア周波数は、それぞれ、ＭＩＤ＃０（ＭＯ＃０＋ＲＣ＃０）、ＭＩＤ＃１（ＭＯ＃０＋ＲＣ＃１）という２つの測定タスクを有する。
【００１７】
ターゲットセル（即ち図３のターゲットセル）の属するするキャリア周波数は、ＭＩＤ＃２（ＭＯ＃１＋ＲＣ＃２）という１つの測定タスクを有する。処理実行プロセスでは、ＭＯ＃０の２つの測定タスクＭＩＤ＃０とＭＩＤ＃１はＭＯ＃１に対応し、即ち新しいＭＩＤ＃０（ＭＯ＃１＋ＲＣ＃０）、ＭＩＤ＃１（ＭＯ＃１＋ＲＣ＃１）となる。ＭＯ＃１の測定タスクＭＩＤ＃１はＭＯ＃０に対応し、即ち新しいＭＩＤ＃２（ＭＯ＃０＋ＲＣ＃２）となる。
【００１８】
ハンドオーバを例として、測定タスクの処理プロセスを簡単に説明する。ソース基地局からターゲット基地局へ送信されるハンドオーバ要求コマンドには、ＵＥのソース基地局における測定タスク構成情報が含まれる。ターゲット基地局は当該ハンドオーバ要求コマンドを受信した後、当該ハンドオーバ要求が異周波数ハンドオーバである場合、上記測定タスク処理動作を実行する。
【００１９】
その後、ターゲット基地局は、処理された測定タスクに基づいて新しい測定タスクをＵＥに構成（デルタシグナリングを介して完了する）する。新しい測定タスクは、ハンドオーバ要求応答コマンドに含まれており、ソース基地局を介してＵＥに転送される。ＵＥはハンドオーバコマンドを受信した後、まず測定タスク処理を実行し、その後、ターゲット基地局によって構成されたデルタシグナリングにおける新しい測定タスクを実行する。
【００２０】
これによって、ＵＥとターゲット基地局の最終的な測定タスクが一致する。その上、ターゲット基地局がＵＥのために構成した新しい測定タスクはデルタシグナリングのみであるため、無線インターフェースリソースを節約できる。
【００２１】
より高いデータ速度をモバイルユーザに提供するために、ロング・ターム・エボリューション・アドバンスドシステム（ＬＴＥ−Ａ：Ｌｏｎｇ  Ｔｅｒｍ  Ｅｖｏｌｕｔｉｏｎ  Ａｄｖａｎｃｅ）において、キャリア・アグリゲーション（ＣＡ：Ｃａｒｒｉｅｒ  Ａｇｇｒｅｇａｔｉｏｎ）技術が提案され、ＵＥのピーク速度を高めるために、より大きいブロードバンドに対応する能力を持つＵＥに提供することが図られている。
【００２２】
ＬＴＥシステムにおいて、システムがサポートする最大のダウンリンク伝送帯域幅は２０ＭＨｚであるが、キャリア・アグリゲーション技術は２つ以上のコンポーネントキャリア（ＣＣ：Ｃｏｍｐｏｎｅｎｔ  Ｃａｒｒｉｅｒｓ）を統合して２０ＭＨｚより大きい１００ＭＨｚ以下の伝送帯域幅をサポートする。
【００２３】
キャリア・アグリゲーション能力を持つＬＴＥ−ＡシステムのＵＥは、同時に複数のコンポーネントキャリアでデータを送受信できる。以下に言及するＵＥは、特に説明する場合を除き、全てＬＴＥ−ＡシステムのＵＥを指す。ＬＴＥ−Ａシステムにおいて、ＵＥは、接続状態に入った後、同時に複数のコンポーネントキャリア（例えばＣＣ１及びＣＣ２）を介してソース基地局と通信でき、コンポーネントキャリア識別子（例えばＣＣＩＤ）を介して、１つのキャリアを明確に識別できる。
【００２４】
基地局は、明白な構成を通じて、又はプロトコルに従って、プライマリコンポーネントキャリア（ＰＣＣ：Ｐｒｉｍａｒｙ  Ｃｏｍｐｏｎｅｎｔ  Ｃａｒｒｉｅｒ）をＵＥに指定する。他のコンポーネントキャリアはセカンダリコンポーネントキャリア（ＳＣＣ：Ｓｅｃｏｎｄａｒｙ  Ｃｏｍｐｏｎｅｔ  Ｃａｒｒｉｅｒ）と規定される。
【００２５】
ＰＣＣにおけるサービングセルはプライマリサービングセル（Ｐｃｅｌｌ：Ｐｒｉｍａｒｙ  Ｃｅｌｌ）と称され、ＳＣＣにおけるサービングセルはセカンダリサービングセル（Ｓｃｅｌｌ：Ｓｅｃｏｎｄａｒｙ  Ｃｅｌｌ）と称される。
【００２６】
非アクセス層（ＮＡＳ：Ｎｏｎ  Ａｃｃｅｓｓ  Ｓｔｒａｔｕｍ）情報（例えば、セルグローバル識別子（ＥＣＧＩ：Ｃｅｌｌ  Ｇｌｏｂａｌ  Ｉｄｅｎｔｉｆｉｃａｔｉｏｎ）、トランキングエリア識別子（ＴＡＩ：Ｔｒａｃｋｉｎｇ  Ａｒｅａ  Ｉｄｅｎｔｉｔｙ）等の情報）はＰｃｅｌｌを介して取得される。ダウンリンク（ＤＬ：Ｄｏｗｎｌｉｎｋ）Ｐｃｅｌｌに無線リンク障害（ＲＬＦ：Ｒａｄｉｏ  Ｌｉｎｋ  Ｆａｉｌｕｒｅ）が発生した場合、ＵＥはＲＲＣ再確立プロセスを実行する必要がある。
【００２７】
ＵＥがアイドル（ｉｄｌｅ）状態からネットワークにアクセスして接続状態に入った後、アクセスされたセルはＰｃｅｌｌである。ＵＥが接続状態にある場合、ネットワーク側はＲＲＣ再構成又はセル内のハンドオーバを介してＰｃｅｌｌの遷移を完了できる。もしくは、ネットワーク側はハンドオーバを行うようにＵＥに通知するプロセスにおいてＰｃｅｌｌを指定する。
【００２８】
従って、キャリア・アグリゲーションサービングセルとキャリア・アグリゲーション隣接セルには、どちらも複数のキャリアが含まれる可能性がある。ＬＴＥシステムにおける測定タスク処理の原則に不確実性が存在することになり、この問題をいかに解決するかについて、現在の規格や提案には解決方法が記載されていない。
【００２９】
当該不確実性により、ターゲット基地局の測定タスクの構成とＵＥによって認識された測定タスクの構成が相違する可能性がある。それによって測定プロセスが混乱し、基地局側は完全な測定結果を取得できず、ＵＥ側はエラーの測定プロセスを行うことでシステムリソースの浪費を招いてしまう。
【００３０】
既に定義されているＬＴＥシステム内の測定イベントは、イベントＡ１（サービングセルの信号品質が所定閾値より高い）、イベントＡ２（サービングセルの信号品質が所定閾値より低い）、イベントＡ３（隣接セルの信号品質がサービングセルの信号品質より所定のオフセットほど高い）、イベントＡ４（隣接セルの信号品質が所定閾値より高い）、イベントＡ５（サービングセルの信号品質が所定閾値１より低く、隣接セルの信号品質が所定閾値２より高い）である。
【００３１】
ここで、イベントＡ４はサービングセルと関係がないので、ＬＴＥ−Ａシステムにおいて、イベントＡ４の定義は変化しない。イベントＡ１とイベントＡ２は、１つのサービングセルに対する測定イベントであるので、ＬＴＥ−Ａシステムにおいて、各サービングセル（ＰｃｅｌｌとＳｃｅｌｌ）はイベントＡ１とイベントＡ２の測定タスクを有する。
【００３２】
イベントＡ３とイベントＡ５には、同周波数(ｃｏ−ｆｒｅｑｕｅｎｃｙ）イベントＡ３（又はＡ３−ＳＣＣと称される）又はイベントＡ３／Ａ５の２種類が存在する。同周波数Ａ３イベントでは、測定対象の周波数は構成されたコンポーネントキャリア（ＰＣＣ及び／又はＳＣＣ）が属する周波数である。基準セルは対応する測定対象周波数におけるＳｃｅｌｌ又はＰｃｅｌｌである。隣接セルの信号品質は、同一周波数ポイントでの隣接セルのサービングセルの信号品質より所定オフセットほど高くなるように定義されている。
【００３３】
Ａ３イベントでは、測定対象の周波数は全ての周波数（ＰＣＣとＳＣＣが属する周波数が含まれる）である。基準セルはＰｃｅｌｌであり、隣接セル（測定対象周波数がＳｃｅｌｌであれば、当該Ｓｃｅｌｌも隣接セルとされる）の信号品質がＰｃｅｌｌの信号品質より所定オフセットほど高くなるように定義されている。
【００３４】
同周波数イベントＡ３と同様に、同周波数イベントＡ５では、測定対象の周波数は構成されたコンポーネントキャリア（ＰＣＣ及び／又はＳＣＣ）が属する周波数である。基準セルは対応する測定対象周波数におけるＳｃｅｌｌ又はＰｃｅｌｌであり、サービングセルの信号品質が所定閾値１より低く、隣接セルの信号品質が所定閾値２より高くなるように定義されている。
【００３５】
Ａ３イベントと同様に、Ａ５では、測定対象の周波数は全ての周波数（ＰＣＣとＳＣＣの所在する周波数を含む）である。基準セルはＰｃｅｌｌであり、サービングセルの信号品質が所定閾値１より低く、隣接セル（測定対象周波数がＳｃｅｌｌであれば、当該Ｓｃｅｌｌも隣接セルとされる）の信号品質が所定閾値２より高くなるように定義されている。
【００３６】
ＬＴＥ−Ａシステムには複数のサービングセル（１つのＰＣｅｌｌのみの場合や１つのＰｃｅｌｌと１つ又は複数のＳｃｅｌｌの場合）が存在する場合があるので、ハンドオーバや再確立の際、ＬＴＥシステムの単一サービングセルによる測定タスクのハンドオーバ方法を使用できない。
【発明の概要】
【発明が解決しようとする課題】
【００３７】
これに鑑み、本発明の主な目的は、ＵＥが適時に素早くターゲット側及びソース側で測定タスク処理を実現することが可能な、キャリア・アグリゲーションシステムにおける測定タスクの処理方法及び処理システムを提供することにある。
【課題を解決するための手段】
【００３８】
上記目的を実現するために、本発明に係る技術的解決法は以下のように実現される。
【００３９】
キャリア・アグリゲーションにおける測定タスクの処理方法であって、
Ｓｃｅｌｌに関連する測定タスク動作：
（１）各Ｓｃｅｌｌに関連する測定タスクが削除される。又は
（２）元Ｓｃｅｌｌが削除された場合、元Ｓｃｅｌｌに関連した測定タスクは削除される。元Ｓｃｅｌｌが、測定対象が存在する別の周波数に再構成された場合、元Ｓｃｅｌｌに関連する測定タスクに対応する測定対象は再構成されたターゲット周波数の測定対象に変更される。その他の場合、当該Ｓｃｅｌｌに関連する測定タスクは削除される。前記削除と再構成は、ＳｃｅｌｌのＩＤを識別子として実行される。又は、
（３）ある元Ｓｃｅｌｌに対して、構成された後、前記元Ｓｃｅｌｌと同じ周波数を有する新しいＳｅｃｌｌが見つけられない場合、それに関連する測定タスクは削除され、
その他の場合、Ｓｅｃｌｌに関連する測定タスクは保留される。
【００４０】
非Ｓｃｅｌｌに関連する測定タスク処理：
（１）Ｐｃｅｌｌに関連する測定タスクに対しては、測定タスク処理が実行され、非サービングセルに関連する測定タスクは保留される。又は
（２）非Ｓｃｅｌｌに関連する測定タスク処理が統一的に実行され、
上記測定タスク処理方式は、具体的には、ソース基地局がＵＥに構成した測定対象に、新しいＰｃｅｌｌのキャリア周波数が含まれ、元Ｐｃｅｌｌと新しいＰｃｅｌｌが異なる周波数に属する場合であって、測定タスクに関連する測定対象がターゲットＰｃｅｌｌの属するする周波数である場合は、対応する測定対象は新しいＰｃｅｌｌの所在する周波数の測定対象に変更される。測定タスクに関連する測定対象が、ソースＰｃｅｌｌの属する周波数である場合、測定対象は新しいＰｃｅｌｌの所在する周波数の測定対象に変更される。その他の場合、ソースＰｃｅｌｌの属する周波数に対応する測定タスクは削除される。
【００４１】
ここで、上記サービングセル（Ｐｃｅｌｌ又はＳｃｅｌｌ）に関連する測定タスクは次のように定義される。
【００４２】
サービングセルに関連する測定タスクは、報告時に、前記サービングセルの測定量を含むことが要求される測定レポートである。当該サービングセルが測定タスクイベントのトリガーに関与する場合、例えば、測定イベントのトリガー条件（イン条件又はアウト条件を含む）であるパラメータにサービングセルの測定量が含まれる場合、既存の測定イベントには、それぞれ、サービングセルの測定結果又はサービングセルと隣接セルの測定結果を示す測定タスクという２種類のイベントがある。
【００４３】
１）サービングセルが測定タスクイベントのトリガーに関与する場合、サービングセルの測定結果を示す測定タスクのサービングセルにおける測定結果が条件を満たす場合に（例えば、サービングセルの測定結果が閾値より高い又は低い）、測定レポートを報告する。具体的な測定構成はサービングセルの属する周波数を測定対象（ｍｅａｓｕｒｅｍｅｎｔ  ｏｂｊｅｃｔ）とし、Ａ１、Ａ２イベントをレポート構成（ｒｅｐｏｒｔ  ｃｏｎｆｉｇｕｒａｔｉｏｎ）とする測定タスクである。
【００４４】
２）サービングセルが測定タスクイベントのトリガーに関与する場合、サービングセルと隣接セルの測定結果を示す測定タスクのサービングセルと隣接セルにおける測定結果が条件を満たす場合に、測定レポートが報告され、及び／又は、隣接セルの測定結果が条件を満たす場合に、報告された測定タスクが報告される。
【００４５】
２．１）前記サービングセルと隣接セルの測定結果が条件を満たす場合に、測定レポートを報告する条件は、隣接セルの測定結果とサービングセルの測定結果の相対量が満たす条件であってよく、隣接セルの測定結果とサービングセルの測定結果がそれぞれ条件を満たしても良い。
【００４６】
２．１．１）前者は、隣接セルの測定結果がサービングセルの測定結果より所定のオフセットほど高く又は低くてもよく、例えば、構成された具体的な測定対象が隣接セルの属する周波数であり、レポート構成はＡ３イベント又はＡ３−ＳＣＣイベントである測定タスクである。
【００４７】
２．１．２）後者は、隣接セル測定が閾値１より高く、同時にサービングセルの測定結果が閾値２より低くてよく、例えば、構成された具体的な測定対象が隣接セルの属する周波数であり、レポート構成はＡ５又はＡ５−ＳＣＣイベントである測定タスクである。
【００４８】
３）サービングセルが測定タスクイベントのトリガーに関与しない場合、例えば、前記隣接セルの測定結果が条件を満たす場合に、サービングセルの測定結果を含むことが要求される測定タスクを報告する条件は、隣接セルの測定結果が閾値より高い又は低いという条件である。例えば、具体的な構成は、測定対象が隣接セルの属する周波数であってよく、レポート構成は、隣接セルの測定結果が閾値より高い（例えばＡ４イベント）又は低いことである。同時に対応するサービングセルの測定タスクを関連させ、隣接セルが条件を満たす場合に、測定レポートに含まれる対応するサービングセルの測定結果は報告される。
【００４９】
好ましくは、前記方法は、
測定対象がメインキャリア周波数及びセカンダリキャリア周波数以外のキャリア周波数である測定タスクが存在する場合、前記測定対象がメインキャリア周波数及びセカンダリキャリア周波数以外のキャリア周波数である測定タスクは保留されることを更に含む。
【００５０】
好ましくは、前記測定対象がメインキャリア周波数及びセカンダリキャリア周波数以外のキャリア周波数である測定タスクが存在する場合、前記測定対象がメインキャリア周波数及びセカンダリキャリア周波数以外のキャリア周波数である測定タスクが保留されることは、具体的に、
ソース側Ｓｃｅｌｌとターゲット側Ｓｃｅｌｌの属する周波数が同じであるセカンダリキャリア周波数に対しては、測定対象が当該同じセカンダリキャリア周波数である測定タスクは保留され、
ソース側Ｓｃｅｌｌとターゲット側Ｓｃｅｌｌの所在する周波数が異なるセカンダリキャリア周波数に対しては、測定対象が前記異なる周波数のキャリア周波数である測定タスクにおけるＰｃｅｌｌに関連する測定タスクは保留される。
【００５１】
キャリア・アグリゲーションシステムにおける測定タスクの処理方法であって、
測定対象がソース側Ｓｃｅｌｌ及び／又はターゲット側Ｓｃｅｌｌの属するするキャリア周波数である測定タスクは削除され、又は
ソース側Ｓｃｅｌｌとターゲット側Ｓｃｅｌｌの属する周波数が同じであるセカンダリキャリア周波数に対して、測定タスクが当該同じセカンダリキャリア周波数である測定タスクは保留されることを含み、
具体的には、
測定対象がソース側Ｓｃｅｌｌ又はターゲット側Ｓｃｅｌｌの属するキャリア周波数である測定タスクは削除され、又は、ソース側Ｓｃｅｌｌとターゲット側Ｓｃｅｌｌの属する周波数が同じであるセカンダリキャリア周波数に対して、測定対象が当該同じセカンダリキャリア周波数である測定タスクは保留され、測定対象が他のソース側Ｓｃｅｌｌ又は他のターゲット側Ｓｃｅｌｌの属するキャリア周波数である測定タスクは削除される。
【００５２】
ソースＰｃｅｌｌとターゲットＰｃｅｌｌが異なる周波数に属し、且つターゲットＰｃｅｌｌの属する周波数が測定対象である場合、測定対象がソース側Ｐｃｅｌｌの属するキャリア周波数である測定タスクに対して、測定対象はターゲットＰｃｅｌｌの属する周波数の測定対象に変更され、測定対象がターゲット側Ｐｃｅｌｌの所在するキャリア周波数である測定タスクに対して、測定対象はソース側Ｐｃｅｌｌの属する周波数の測定対象に変更される。
【００５３】
上記２つのステップは順で処理される必要がある。上記測定タスク以外の測定タスクは保留される。
【００５４】
キャリア・アグリゲーションシステムにおける測定タスクの処理システムであって、前記システムは、
ソースＳｃｅｌｌに関連する全ての測定タスクを削除し、又は、削除されたソースＳｃｅｌｌにおけるＳｃｅｌｌに関連する測定タスクを削除する削除ユニットを含む。
【００５５】
好ましくは、前記システムは、再構成ユニットと変更ユニットを更に含み、
再構成ユニットは、ソースＳｃｅｌｌを、測定対象が存在する別の周波数に再構成し、前記削除ユニットは、当該再構成されたソースＳｃｅｌｌに関連する測定タスクを削除せず、
変更ユニットは、ソースＳｃｅｌｌに関連する測定タスクに対応する測定対象を、再構成後の周波数の測定対象に変更する。
【００５６】
好ましくは、前記ソースＳｃｅｌｌが削除されるプロセスでは、
構成された後、削除されたソースＳｃｅｌｌ周波数と同じ周波数の新しいＳｃｅｌｌは存在せず、又は、
ソースセカンダリサービングセルＳｃｅｌｌに対応するキャリア識別子が存在しない。
【００５７】
好ましくは、
ソースＳｃｅｌｌのキャリア識別子が変更されず、当該ソースＳｃｅｌｌの周波数が変更されることによって、ソースＳｃｅｌｌが、測定対象が存在する別の周波数に再構成される。
【００５８】
好ましくは、前記変更ユニットは、ソース基地局によってＵＥのために構成された測定対象が、新しいＰｃｅｌｌのキャリア周波数を含み、測定タスクに関連する測定対象がターゲットＰｃｅｌｌの属する周波数である場合、対応する測定対象を新しいＰｃｅｌｌの属する周波数の測定対象に変更し、測定タスクに関連する測定対象がソースＰｃｅｌｌの属する周波数である場合、測定対象を新しいＰｃｅｌｌの属する周波数の測定対象に変更し、その他の場合、ソースＰｃｅｌｌの所在する周波数に対応する測定タスクを削除する。この結果、ソースＰｃｅｌｌとターゲットＰｃｅｌｌが異なる周波数に属する。
【００５９】
好ましくは、前記システムは、
ソースプライマリキャリア周波数及びセカンダリキャリア周波数を除くのキャリア周波数を測定対象とするである測定タスクが存在する場合、前記測定タスクを保留する保留ユニットを更に含む。
【００６０】
キャリア・アグリゲーションシステムにおける測定タスクの処理システムであって、前記システムは、
測定対象がソース側Ｓｃｅｌｌ及び／又はターゲット側Ｓｅｃｌｌの属するキャリア周波数である測定タスクを削除する削除ユニットと、
ソース側Ｓｃｅｌｌとターゲット側Ｓｃｅｌｌの属するする周波数が同じであるセカンダリキャリア周波数に対して、測定対象が当該同じセカンダリキャリア周波数である測定タスクを保留する保留ユニットと、
ターゲットＰｃｅｌｌの属する周波数が測定対象である場合、測定対象がソース側Ｐｃｅｌｌの属するキャリア周波数である測定タスクに対して、測定対象をターゲットＰｃｅｌｌの属する周波数の測定対象に変更し、測定対象がターゲット側Ｐｃｅｌｌの属するキャリア周波数である測定タスクに対して、測定対象をソースＰｃｅｌｌの属する周波数の測定対象に変更する変更ユニットとを含み、
ここで、ソースＰｃｅｌｌとターゲットＰｃｅｌｌが異なる周波数に属する。
【００６１】
キャリア・アグリゲーションシステムにおける測定タスクの処理システムであって、
Ｓｃｅｌｌが削除される場合、当該Ｓｃｅｌｌに関連する測定タスクを削除し、又は、測定対象が当該Ｓｃｅｌｌの属するキャリア周波数である測定タスクを削除する削除ユニットを含む。
【００６２】
以上のように本発明においては、ソース側及びターゲット側の測定タスクの処理ルールを設定することで、キャリア・アグリゲーションシステムにおけるハンドオーバ又は再確立プロセスにおける測定タスク処理の不確実性の問題を解決し、さらに測定タスクに用いられる構成シグナリングを効果的に低減させ、無線インターフェースリソースの利用率を高め、よいサービス体験をユーザに提供することができる。
【図面の簡単な説明】
【００６３】
【図１】ＬＴＥシステムにおけるハンドオーバのフローチャートである。
【図２】ＬＴＥシステムにおけるＲＲＣ再確立のフローチャートである。
【図３】ＬＴＥシステムにおける測定タスク処理のフローチャートである。
【図４】本発明に係るＵＥのセル１からセル２へのハンドオーバを示す図である。
【図５ａ】本発明における、図４に示すハンドオーバ前の測定タスク処理を示す図である。
【図５ｂ】本発明における、図４に示すハンドオーバプロセス中の測定タスク処理を示す図である。
【図５ｃ】本発明における、図４に示すハンドオーバ後の測定タスク処理を示す図である。
【図６】本発明に係るＵＥのセル１からセル２への再確立を示す図である。
【図７ａ】本発明における、図６に示す再確立前の測定タスク処理を示す図である。
【図７ｂ】本発明における、図６に示す再確立プロセス中の測定タスク処理を示す図である。
【図７ｃ】本発明における、図６に示す再確立後の測定タスク処理を示す図である。
【図８】本発明に係るＵＥのセル１からセル２へのハンドオーバを示す図である。
【図９ａ】本発明における、図８に示す再確立前の測定タスク処理を示す図である。
【図９ｂ】本発明における、図８に示す再確立プロセス中の測定タスク処理を示す図である。
【図９ｃ】本発明における、図８に示す再確立後の測定タスク処理を示す図である。
【図１０】本発明に係るＵＥのセル１からセル２へのハンドオーバを示す図である。
【図１１ａ】本発明における、図１０に示す再確立前の測定タスク処理を示す図である。
【図１１ｂ】本発明における、図１０に示す再確立プロセス中の測定タスク処理を示す図である。
【図１１ｃ】本発明における、図１０に示す再確立後の測定タスク処理を示す図である。
【図１２】本発明に係るＵＥのセル１からセル２へのハンドオーバを示す図である。
【図１３】本発明に係るＵＥのセル１からセル２へのハンドオーバを示す図である。
【図１４】本発明に係るキャリア・アグリゲーションシステムにおける測定タスクの処理システムにおける実施形態１の構成を示す図である。
【図１５】本発明に係るキャリア・アグリゲーションシステムにおける測定タスクの処理システムにおける実施形態２の構成を示す図である。
【図１６】本発明に係るキャリア・アグリゲーションシステムにおける測定タスクの処理システムにおける実施形態３の構成を示す図である。
【図１７】本発明に係るキャリア・アグリゲーションシステムにおける測定タスクの処理システムにおける実施形態４の構成を示す図である。
【図１８】本発明に係るキャリア・アグリゲーションシステムにおける測定タスクの処理システムにおける実施形態５の構成を示す図である。
【発明を実施するための形態】
【００６４】
本発明に係る基本的な着想は次の通りである。ハンドオーバ、再確立又は再構成の間、Ｓｃｅｌｌに関連する測定タスク動作では、全てのソースセカンダリサービングセルＳｃｅｌｌに関連する測定タスクが削除される。又は、削除されたソースＳｃｅｌｌにおけるＳｃｅｌｌに関連する測定タスクが削除される。又は、ソースＳｃｅｌｌが測定対象の属する別の周波数に再構成された場合、当該ソースＳｃｅｌｌに関連する測定タスクは削除されず、ソースＳｃｅｌｌに関連する測定タスクに対応する測定対象が再構成後の周波数の測定対象に変更される。その他の場合、当該Ｓｃｅｌｌに関連する測定タスクが削除される。
【００６５】
非Ｓｃｅｌｌに関連する測定タスク処理では、ソースＰｃｅｌｌとターゲットＰｃｅｌｌが異なる周波数に属し、且つターゲットＰｃｅｌｌの属する周波数が測定対象である場合において、Ｐｃｅｌｌに関連する測定タスクに対して、測定タスクに対応する測定対象がソースＰｃｅｌｌの属する周波数である場合、測定対象はターゲットＰｃｅｌｌが属する周波数の測定対象に変更される。測定タスクに対応する測定対象がターゲットＰｃｅｌｌの属する周波数である場合、測定対象はソースＰｃｅｌｌの属するする周波数の測定対象に変更される。
【００６６】
ここで、Ｓｃｅｌｌに関連する測定タスクは以下のように定義されている。Ｓｃｅｌｌに関連する測定タスクは、Ｓｃｅｌｌの測定結果、又はＳｃｅｌｌと隣接セルの測定結果を示す測定タスクである。ここで、Ｓｃｅｌｌの測定結果を示す測定タスクは、Ｓｃｅｌｌの測定結果が条件を満たす場合、例えば、サービングセルの測定結果が閾値より高い又は低い場合に、測定レポートを報告する。
【００６７】
ここで、サービングセルは、Ｓｃｅｌｌであり、具体的な測定構成は、Ｓｃｅｌｌが属する周波数を測定対象とし、Ａ１、Ａ２イベントをレポート構成とする測定タスクである。ここで、Ｓｃｅｌｌと隣接セルの測定結果を示す測定タスクは、Ｓｃｅｌｌと隣接セルの測定結果が条件を満たす場合に測定レポートを報告し、及び／又は隣接セル測定結果が条件を満たす場合に要求されるＳｃｅｌｌ測定結果を含む測定タスクを報告する。
【００６８】
前記Ｓｃｅｌｌと隣接セルの測定結果が条件を満たす場合に、測定レポートを報告する条件は、隣接セルの測定結果とＳｃｅｌｌ測定結果の相対量によって満たされる条件であってもよく、隣接セルの測定結果とＳｃｅｌｌの測定結果によってそれぞれ満たされる条件であってもよい。
【００６９】
前者は、隣接セル測定結果がサービングセル測定結果より所定のオフセットほど高く又は低くてもよい。例えば、具体的な構成は、同周波数イベントにとって、測定対象は隣接セル（即ちＳｃｅｌｌである）が属する周波数とすることができる。レポート構成は、同周波数Ａ３又はＡ３−ＳＣＣイベントである測定タスクである。
【００７０】
後者は、隣接セルが閾値１より高く、一方、サービングセルの測定結果は閾値２より低くてよい。例えば、具体的な構成は、同周波数イベントにとって、測定対象が隣接セル（即ちＳｃｅｌｌである）が属する周波数であってもよい。レポート構成は同周波数Ａ５又はＡ５−ＳＣＣイベントである測定タスクである。
【００７１】
前記隣接セル測定結果が条件を満たす場合での、Ｓｃｅｌｌ測定結果を含む測定タスクを報告する条件は、隣接セルの測定結果が閾値より高い又は低い条件である。例えば、具体的な構成は、測定対象は隣接セル（即ちＳｃｅｌｌである）が属する周波数であってもよい。レポート構成は、隣接セル測定結果が閾値（例えばＡ４イベント）より高く、同時に対応するＳｃｅｌｌの測定タスクを関連付け、隣接セルが条件を満たす場合に、測定レポートに含まれるＳｃｅｌｌに対応する測定結果を報告する。
【００７２】
非Ｓｃｅｌｌに関連する測定タスクは２種類の方式で定義されてよい。
定義１）Ｐｃｅｌｌ測定結果、又はＰｃｅｌｌと隣接セルの測定結果を示す測定タスクである。具体的な定義は上記Ｓｃｅｌｌに関連する定義と同じである。
定義２）Ｓｃｅｌｌに関連する測定タスク以外の他の測定タスクである。
【００７３】
本発明の目的、技術的解決法及び利点を更にはっきりさせるために、以下の実施形態において図面を参照しながら、本発明を更に詳しく説明する。
【００７４】
ハンドオーバ、再確立又は再構成の場合に、本発明において設定される測定タスク処理規則は、以下のとおりである。
【００７５】
Ｓｃｅｌｌに関連する測定タスク動作では、全てのソースセカンダリサービングセルＳｃｅｌｌに関連する測定タスクは削除される。又は、削除されたソースＳｃｅｌｌにおけるＳｃｅｌｌに関連する測定タスクは削除される。又は、ソースＳｃｅｌｌが測定対象の属する別の周波数に再構成された場合、当該ソースＳｃｅｌｌに関連する測定タスクは削除されず、ソースＳｃｅｌｌに関連する測定タスクに対応する測定対象は再構成後の周波数の測定対象に変更される。その他の場合、当該Ｓｃｅｌｌに関連する測定タスクは削除される。
【００７６】
非Ｓｃｅｌｌに関連する測定タスク動作では、ソースＰｃｅｌｌとターゲットＰｃｅｌｌが異なる周波数に属し、且つ、ターゲットＰｃｅｌｌが属する周波数が測定対象である場合であって、Ｐｃｅｌｌに関連する測定タスクに対して測定タスクに対応する測定対象がソースＰｃｅｌｌが属する周波数である場合、測定対象はターゲットＰｃｅｌｌが属する周波数の測定対象に変更される。
【００７７】
測定タスクに対応する測定対象がターゲットＰｃｅｌｌが属する周波数である場合、測定対象はソースＰｃｅｌｌが属する周波数の測定対象に変更される。
【００７８】
統一して説明するために、本発明においては、ハンドオーバについては、ソース側セルからターゲット側セルへのハンドオーバであるとする。再確立については、再確立前のＵＥが属するセルがソース側であり、再確立後のＵＥが属するセルがターゲット側であるとする。再構成については、再構成前のＵＥが属するセルがソース側であり、再構成後のＵＥが属するセルがターゲット側であるとする。
【００７９】
（実施形態１）
図４は本発明に係るＵＥのセル１からセル２へのハンドオーバを示す図である。図４に示すように、ＵＥがＣＣ２に属し、ＣＣ２においてＲＲＣ接続確立を開始する。ＲＲＣ接続確立プロセスが完了した後、ＵＥはキャリア・アグリゲーションセル１にアクセスして接続状態に入る。このように、キャリア・アグリゲーションシステムの関連規定によると、ＣＣ２はＰＣＣであり、ＣＣ２におけるサービングセルはＰｃｅｌｌである。
【００８０】
サービスの要求のため、ネットワーク側はＣＣ１をＵＥのために構成してキャリア・アグリゲーションを行うので、現在ＵＥによって同時に使用されているコンポーネントキャリアはＣＣ１、ＣＣ２である。ここで、ＣＣ２はＰＣＣであり、ＣＣ１はＳＣＣであり、ＳｃｅｌｌはＣＣ１におけるサービングセルである。
【００８１】
図５ａは本発明における、図４に示すハンドオーバ前の測定タスク処理を表す図である。図５ａに示すように、ハンドオーバ前の測定タスクの内容は、ＭＩＤ＃１／２／３を含む。測定対象のキャリア周波数はＣＣ１、即ちＳＣＣの所在するキャリア周波数である。測定イベントはＡ１／Ａ２／同周波数Ａ３であり、そのトリガー条件はそれぞれのＳｃｅｌｌが所定の閾値より高い又は低いこと、又はＳｃｅｌｌより所定のオフセットほど高い隣接セルがあり、測定タスクがＳｃｅｌｌに関連する測定タスクであることである。
【００８２】
また、ハンドオーバ前の測定タスクの内容はＭＩＤ＃６／７／８を含む。測定対象のキャリア周波数はＣＣ２であり、即ちＰＣＣが属するキャリア周波数である。測定イベントはＡ１／Ａ２／Ａ３であり、そのトリガー条件はそれぞれＰｃｅｌｌが所定の閾値より高い又は低いこと、又はＰｃｅｌｌより所定のオフセットほど高い隣接セルがあり、測定タスクがＰｃｅｌｌに関連する測定タスクであることである。
【００８３】
また、ハンドオーバ前の測定タスクの内容は、ＭＩＤ＃９を含む。測定対象のキャリア周波数はＵＭＴＳのＣＣ４である。測定イベントはＢ２イベントであり、トリガー条件はＰｃｅｌｌが閾値１より低く、且つ閾値２より高い隣接セルがあり、測定タスクがＰｃｅｌｌに関連する測定タスクであることである。
【００８４】
また、ハンドオーバ前の測定タスクの内容は、ＭＩＤ＃４／５を含む。測定対象のキャリア周波数はＣＣ１、即ちＳＣＣが属するキャリア周波数である。測定イベントはＡ３／Ａ４であり、ここで、Ａ３イベントのトリガー条件はＳＣＣにおける１つのセルがＰｃｅｌｌより所定のオフセットほど高く、測定タスクがＰｃｅｌｌに関連する測定タスクであることである。Ａ４イベントはトリガーされた後、Ｐｃｅｌｌの信号品質を報告する必要があるので、Ｐｃｅｌｌに関連する測定タスクにも属する。上記の「高い」、「低い」及び「オフセット」の比較は、全てセルの測定量を基準値とする。
【００８５】
ＵＥがキャリア・アグリゲーションセル２へ移動すると、ソース基地局はターゲット基地局へハンドオーバすることを決定し、ＵＥをキャリア・アグリゲーションセル２にハンドオーバする。ソース基地局がターゲット基地局に送信したハンドオーバ要求メッセージには、ＵＥのソース基地局における測定タスクが含まれ、更に、ＵＥの現在使用中のキャリアの情報、例えばＣＣ１とＣＣ２の情報、ＣＣ２がＰＣＣである等の情報が含まれてもよい。
【００８６】
図５ｂは本発明における図４に示すハンドオーバプロセス中の測定タスク処理を表す図である。図５ｂに示すように、ターゲット基地局は、ソース基地局からのハンドオーバ要求メッセージを受信した後、キャリア・アグリゲーションセル２において、ＣＣ１のみを使用すると決定する。ＣＣ１はＰＣＣであり、ＰｃｅｌｌはＣＣ１におけるサービングセルであり、即ちＣＣ１におけるＳｃｅｌｌは削除される。
【００８７】
Ｓｃｅｌｌに関連する測定タスクに対する処理方法では、（１）ソース側における削除されたＳｃｅｌｌに関連する測定タスク（ＭＩＤ＃１−３）は削除され、具体的には、対応するＭＩＤが削除される。又は（２）存在するＳｃｅｌｌに対して、これらのＳｃｅｌｌに関連する測定タスクも一緒に削除されてもよい。本実施形態ではＳｃｅｌｌが１つしかないので、プロセスは同一である。
【００８８】
上記プロセスが１つの基地局で発生した場合、ハンドオーバ要求メッセージを送信する必要はないが、内部処理プロセスは同様である。
【００８９】
Ｓ−Ｐｃｅｌｌ（ソース側Ｐｃｅｌｌ）とＴ−Ｐｃｅｌｌ（ターゲット側Ｐｃｅｌｌ）は異なる周波数に属し、ターゲットＰｃｅｌｌが属する周波数（ＣＣ１）が測定対象である。全ての測定タスク（ＭＩＤ＃４−９）に対して以下のような処理が実行される。
【００９０】
測定タスクに対応する測定対象がＳ−Ｐｃｅｌｌの属する周波数（ＣＣ２）（例えばＭＩＤ＃６／７／８）である場合、測定対象はＴ−Ｐｃｅｌｌの属する周波数の測定対象（ＭＯ＃２）に変更される。測定タスクに対応する測定対象がＴ−Ｐｃｅｌｌの属する周波数（ＣＣ１）（ＭＩＤ＃４／５）である場合、測定対象はＳ−Ｐｃｅｌｌの属する周波数の測定対象（ＭＯ＃１）に変更される。その他の測定タスク、例えばＣＣ４の測定タスク（ＭＩＤ＃９）は保留される。
【００９１】
ターゲット基地局は図５ｂに示された測定処理結果に基づいて、ＵＥのために測定タスクのデルタシグナリングを構成し、例えば、１つの測定タスクＭＩＤ＃１（ＣＣ１におけるＡ５）を追加する。ターゲット基地局は、ハンドオーバ要求応答メッセージを介してデルタシグナリングをソース基地局に送信する。ソース基地局はそれを受信した後、ハンドオーバコマンドを介してＵＥに送信する。ハンドオーバコマンドを利用することによって、ソース基地局はＣＣ１におけるＳｃｅｌｌを削除するようにＵＥに更に通知することができる。
【００９２】
ＵＥはハンドオーバコマンドを受信した後、ハンドオーバコマンドにＣＣ１におけるＳｃｅｌｌを削除することが含まれない場合、ＵＥは自ら当該Ｓｃｅｌｌ及び全ての存在するＳｃｅｌｌを削除できる。これらのＳｃｅｌｌに関連する測定タスクも一緒に削除されてもよい。ハンドオーバコマンドにＣＣ１におけるＳｃｅｌｌを削除することが含まれる場合、ＵＥはハンドオーバコマンドを受信した後、当該Ｓｃｅｌｌを削除し、そしてＣＣ１におけるＳｃｅｌｌに関連する測定タスク（ＭＩＤ＃１／２／３）を一緒に削除する。
【００９３】
上記基地局と同様の処理に従って、ＵＥは測定タスクの処理を完了してから、受信したハンドオーバコマンドのデルタシグナリングに従って測定構成を変更する。最終的な測定タスク結果は図５ｃに示す通りである。
【００９４】
ＵＥは、現在の測定タスク構成に応じて、測定を実行し、要求に応じて測定レポートをネットワーク側に報告する。ネットワーク側は、測定レポートに応じて、関連する決定を行う。
【００９５】
上記プロセスにおいて、ソース基地局が、ＵＥをターゲット基地局のＣＣ３にハンドオーバすると決定する場合、又は、ターゲット基地局がＰｃｅｌｌとしてＣＣ３をＵＥに構成する場合、ソース側における削除されたＳｃｅｌｌに関連する測定タスク（ＭＩＤ＃１−３）は削除される。Ｓ−Ｐｃｅｌｌ（ソース側Ｐｃｅｌｌ）とＴ−Ｐｃｅｌｌ（ターゲット側Ｐｃｅｌｌ）が異なる周波数に属するが、ターゲットＰｃｅｌｌが属する周波数（ＣＣ３）である測定対象は存在しない。
【００９６】
全ての測定タスク（ＭＩＤ＃４−９）に対して次のような処理が実行され、Ｓ−Ｐｃｅｌｌの属する周波数（ＣＣ２）（例えばＭＩＤ＃６／７／８）である測定対象に対応する測定タスクが削除される。他の測定タスク、例えばＣＣ４の測定タスク（ＭＩＤ＃９）は保留される。
【００９７】
ターゲット基地局は上記処理結果に応じて、ＵＥのために測定タスクのデルタシグナリングを構成し、例えば、１つの測定対象（ＭＯ＃４＝ＣＣ３）を追加し、同時に、ＭＯ＃４におけるイベントＡ１／Ａ２／Ａ３の測定タスク（ＭＩＤ＃１／２／３）を追加する。
【００９８】
ターゲット基地局はハンドオーバ要求応答メッセージを介してデルタシグナリングをソース基地局に送信する。ソース基地局はそれを受信した後、ハンドオーバコマンドを介してＵＥに送信する。上記基地局と同様の処理に従って、ＵＥは測定タスクの処理を完了した後、受信したハンドオーバコマンドのデルタシグナリングに従って測定構成を変更する。最終的な測定タスク結果はターゲット基地局と一致する。
【００９９】
（実施形態２）
図６は本発明に係るＵＥのセル１からセル２への再確立を示す図である。図６に示すように、ＵＥはＣＣ１に属し、ＣＣ１においてＲＲＣ接続確立を開始する。ＲＲＣ接続プロセスが完了した後、ＵＥはキャリア・アグリゲーションセル１にアクセスして接続状態に入る。ＣＣ１はＰＣＣであり、ＰｃｅｌｌはＣＣ１におけるサービングセルである。
【０１００】
サービスの要求のため、ネットワーク側はＣＣ２をＵＥに構成してキャリア・アグリゲーションを行うので、現在のＵＥによって同時に使用されているコンポーネントキャリアはＣＣ１、ＣＣ２である。ここで、ＣＣ１はＰＣＣであり、ＣＣ２はＳＣＣであり、ＳｃｅｌｌはＣＣ２におけるサービングセルである。
【０１０１】
図７ａは本発明における図６に示す再確立前の測定タスク処理を表す図である。図７ａに示すように、ハンドオーバ前の測定タスクの内容は、ＭＩＤ＃１−３を含む。測定対象のキャリア周波数はＣＣ１であり、即ちＰＣＣが属するキャリア周波数である。測定イベントはＡ１／Ａ２／同周波数Ａ３であり、実施形態１に類似するように規定され、全てＰｃｅｌｌに関連する測定タスクに属する。
【０１０２】
また、ハンドオーバ前の測定タスクの内容は、ＭＩＤ＃４−６を含む。測定対象のキャリア周波数はＣＣ２であり、即ちＳＣＣが属するキャリア周波数である。測定イベントはＡ１／Ａ２／同周波数Ａ３であり、実施形態１と同様に判断され、Ｓｃｅｌｌに関連する測定タスクに属する。
【０１０３】
同様の判断からわかるように、ＭＩＤ＃７−１１はＰｃｅｌｌに関連する測定タスクである。ここで、ＭＩＤ＃１１は、報告がなされる場合に、Ｐｃｅｌｌに関連する測定量を含む必要がある。
【０１０４】
ＵＥはキャリア・アグリゲーションセル１でＲＬＦが発生した場合、ＲＲＣ再確立を開始する必要がある。ＵＥはまずセルを選択し、ＣＣ３におけるキャリア・アグリゲーションセル２を選択し、キャリア・アグリゲーションセル２でＣＣ３のみを使用する。ＣＣ３はＰＣＣであり、ＰｃｅｌｌはＣＣ３におけるサービングセルである。
【０１０５】
この時、ＵＥは自らソース側のＳｃｅｌｌを全て削除し、及び／又はＳｃｅｌｌに関連する測定タスク（ＭＩＤ＃４−６）を削除し、又は、ターゲット側から送信された再確立メッセージを受信してから処理を実行する。その後、ＵＥはＲＲＣ再確立要求メッセージをターゲット側に開始する。
【０１０６】
図７ｂは本発明における、図６に示す再確立プロセス中の測定タスク処理を表す図である。図７ｂに示すように、ターゲット側はＵＥの再確立要求メッセージを受信した後、ターゲット側がＣＣ２をＵＥに構成しないと決定する。このため、本発明で設定された測定タスク処理規則に従って、ソース側ＣＣ２におけるＳｃｅｌｌに関連する測定タスク（ＭＩＤ＃４−６）は削除される。
【０１０７】
Ｓ−Ｐｃｅｌｌ（ソース側Ｐｃｅｌｌ）とＴ−Ｐｃｅｌｌ（ターゲット側Ｐｃｅｌｌ）が異なる周波数に属し、且つ、ターゲットＰｃｅｌｌが属する周波数（ＣＣ３）が測定対象である。全ての測定タスク（ＭＩＤ＃１−３、ＭＩＤ＃７−１１）に対して、次のような処理が実行される。
【０１０８】
測定タスクに対応する測定対象がＳ−Ｐｃｅｌｌの属する周波数（ＣＣ１）（例えば、ＭＩＤ＃１／２／３）である場合、測定対象はＴ−Ｐｃｅｌｌの属する周波数の測定対象（ＭＯ＃３）に変更される。測定タスクに対応する測定対象がＴ−Ｐｃｅｌｌの属する周波数（ＣＣ３）（ＭＩＤ＃８／９）である場合、測定対象はＳ−Ｐｃｅｌｌの属する周波数の測定対象（ＭＯ＃１）に変更される。他の測定タスク、例えばＣＣ４の測定タスク（ＭＩＤ＃１０）は保留される。
【０１０９】
ターゲット側がＣＣ２をＵＥに構成しないので、本発明に設定された測定タスクの処理規則に従って、ソース側ＣＣ２におけるＳｃｅｌｌに関連する測定タスク（ＭＩＤ＃４−６）は削除される。測定対象キャリア周波数がソース側ＣＣ２のＳｃｅｌｌに関連する他の測定タスク（ＭＩＤ＃７、ＭＩＤ＃１１）は保留される。ＣＣ４の測定タスク（ＭＩＤ＃１０）のような他の測定タスクは保留される。
【０１１０】
ターゲット側は再確立コマンドをＵＥに応答し、ＵＥはそれを受信した後、Ｓｃｅｌｌに関連する測定タスク（ＭＩＤ＃４−６）を削除してもよく、自らがソース側のＳｃｅｌｌを全て削除してもよい。
【０１１１】
測定タスクに対応する測定対象がＳ−Ｐｃｅｌｌの属する周波数（ＣＣ１）（ＭＩＤ＃１／２／３）である場合、測定対象はＴ−Ｐｃｅｌｌが属する周波数の測定対象（ＭＯ＃３）に変更される。測定タスクに対応する測定対象がＴ−Ｐｃｅｌｌの属する周波数（ＣＣ３）（ＭＩＤ＃８／９）である場合、測定対象はＳ−Ｐｃｅｌｌの属する周波数の測定対象（ＭＯ＃１）に変更される。
【０１１２】
測定対象キャリア周波数がソース側Ｓｃｅｌｌ（ＳＣＣがＣＣ２である）の他の測定タスク（ＭＩＤ＃７、ＭＩＤ＃１１）は保留される。他の測定タスク、例えば、ＣＣ４の測定タスク（ＭＩＤ＃１０）は保留される。再確立完了コマンドがターゲット側に返される。
【０１１３】
ターゲット側が図７ｂの結果に基づいて、ＵＥのために測定タスクのデルタシグナリングを構成する。最終的な測定タスク結果は図７ｃに示されるように、ターゲット側はＲＲＣ再構成メッセージを介してデルタシグナリングをＵＥに送信する。ＵＥは、デルタシグナリングにおける測定タスク構成を実行し、最終的な測定タスクの結果は、図７ｃに示されるものと一致する。
【０１１４】
Ｓｃｅｌｌの信号品質が報告に要求される場合、ＭＩＤ＃１１の測定タスクはＳｃｅｌｌに関連する測定タスクに属し、従って、図７ｂに示される再確立プロセス中において削除することができる。
【０１１５】
（実施形態３）
図８は本発明に係るＵＥのセル１からセル２へのハンドオーバを示す図である。図８に示すように、ＵＥはＣＣ１に属し、ＣＣ１においてＲＲＣ接続確立を開始する。ＲＲＣ接続確立プロセスが完了した後、ＵＥはキャリア・アグリゲーションセル１にアクセスして接続状態に入る。この時、ＣＣ１はＰＣＣであり、ＰｃｅｌｌはＣＣ２におけるサービングセルである。
【０１１６】
サービスの要求のため、ネットワーク側はＣＣ２をＵＥに構成してキャリア・アグリゲーションを行うので、現在のＵＥによって同時に使用されているコンポーネントキャリアはＣＣ１、ＣＣ２である。ここで、ＣＣ１はＰＣＣであり、ＣＣ２はＳＣＣであり、ＳｃｅｌｌはＣＣ２におけるサービングセルである。
【０１１７】
図９ａに示すように、ＵＥがキャリア・アグリゲーションセル２へ移動する。ソース基地局はターゲット基地局へハンドオーバすることを決定し、ＵＥをキャリア・アグリゲーションセル２にハンドオーバする。ソース基地局がターゲット基地局に送信したハンドオーバ要求メッセージには、ＵＥのソース基地局における測定タスクが含まれ、更に、ＵＥの現在使用中のキャリアの情報、例えばＳ−ＣＣ１とＳ−ＣＣ２の情報、ＣＣ１がＰＣＣである等の情報が含まれてもよい。
【０１１８】
図９ｂに示すように、ターゲット基地局はソース基地局のハンドオーバ要求メッセージを受信した後、ＵＥのためにキャリア・アグリゲーションセル２におけるＣＣ１、ＣＣ２及びＣＣ３を構成することを決定する。ここで、ＣＣ２はＰＣＣである。ターゲット側はＵＥのためにＣＣ２を構成したが、ＣＣ２はＰＣＣであるので、キャリア周波数がＣＣ２であるターゲット側Ｓｃｅｌｌは存在しない。従って、ソース側ＣＣ２のＳｃｅｌｌに関連する測定タスク（ＭＩＤ＃４／５／６）は削除される必要がある。他の測定タスクは保留される。
【０１１９】
Ｓ−Ｐｃｅｌｌ（ソース側Ｐｃｅｌｌ）とＴ−Ｐｃｅｌｌ（ターゲット側Ｐｃｅｌｌ）が異なる周波数に属し、ターゲットＰｃｅｌｌが属する周波数（ＣＣ２）が測定対象である。全ての測定タスク（ＭＩＤ＃１／２／３、ＭＩＤ＃７−１１）に対して以下のような処理が実行される。
【０１２０】
測定タスクに対応する測定対象がＳ−Ｐｃｅｌｌの属する周波数（ＣＣ１）（例えばＭＩＤ＃１／２／３）である場合、測定対象はＴ−Ｐｃｅｌｌが属する周波数の測定対象（ＭＯ＃２）に変更される。測定タスクに対応する測定対象がＴ−Ｐｃｅｌｌの属する周波数（ＣＣ２）（ＭＩＤ＃７／１１）である場合、測定対象はＳ−Ｐｃｅｌｌが属する周波数の測定対象（ＭＯ＃１）に変更される。他のキャリア周波数（プライマリキャリア周波数及びセカンダリキャリア周波数以外のキャリア周波数）の測定タスク（ＭＩＤ＃８／９）は保留される。
【０１２１】
上記プロセスにおいて、元ＰｃｅｌｌがＳｃｅｌｌに変わり、元ＳｃｅｌｌがＰｃｅｌｌに変わる時、Ｓ−Ｓｃｅｌｌに関連する測定タスク（ＭＩＤ＃４／５／６）は保留される。Ｓ−Ｐｃｅｌｌ（ソース側Ｐｃｅｌｌ）とＴ−Ｐｃｅｌｌ（ターゲット側Ｐｃｅｌｌ）は異なる周波数に属し、且つターゲットＰｃｅｌｌが属する周波数（ＣＣ２）が測定対象である。
【０１２２】
全ての測定タスク（ＭＩＤ＃１／２／３、ＭＩＤ＃４／５／６／７−１１）に対して次のような処理が実行される。測定タスクに対応する測定対象がＳ−Ｐｃｅｌｌの属する周波数（ＣＣ１）（ＭＩＤ＃１／２／３）である場合、測定対象はＴ−Ｐｃｅｌｌの属する周波数の測定対象（ＭＯ＃２）に変更される。測定タスクに対応する測定対象がＴ−Ｐｃｅｌｌの属する周波数（ＣＣ２）（ＭＩＤ＃４／５／６／７／１１）である場合、測定対象はＳ−Ｐｃｅｌｌの属する周波数の測定対象（ＭＯ＃１）に変更される。
【０１２３】
測定タスクに対する上記処理結果に基づいて、ターゲット基地局は、ＵＥのために測定タスクのデルタシグナリングを構成し（例えばＭＩＤ＃４／５を構成する）、ハンドオーバ要求応答メッセージを介してソース基地局に送信する。ソース基地局はそれを受信した後、ハンドオーバコマンドを介してＵＥに送信する。
【０１２４】
ＵＥは、ハンドオーバコマンドを受信した後、ソース側ＣＣ２のＳｃｅｌｌに関連する測定タスク（ＭＩＤ＃４／５／６）を削除する。測定タスクに対応する測定対象がＳ−Ｐｃｅｌｌの属する周波数（ＣＣ１）（ＭＩＤ＃１／２／３）である場合、測定対象はＴ−Ｐｃｅｌｌが属する周波数の測定対象（ＭＯ＃２）に変更される。測定タスクに対応する測定対象がＴ−Ｐｃｅｌｌの属する周波数（ＣＣ２）（ＭＩＤ＃７／１１）である場合、測定対象はＳ−Ｐｃｅｌｌが属する周波数の測定対象（ＭＯ＃１）に変更される。
【０１２５】
測定対象キャリア周波数がソース側Ｓｃｅｌｌ（ＳＣＣがＣＣ３である）である測定タスク（ＭＩＤ＃８／９）は保留され、ＣＣ４の測定タスクも保留される。その後、デルタシグナリングにおける測定タスク構成が実行され、図９に示す最終的な測定タスク構成が取得される。
【０１２６】
（実施形態４）
図１０は本発明に係るＵＥのセル１からセル２へのハンドオーバを示す図である。図１０に示すように、ＵＥはＣＣ１に属し、ＣＣ１においてＲＲＣ接続確立を開始する。ＲＲＣ接続プロセスが完了した後、ＵＥはキャリア・アグリゲーションセル１にアクセスして接続状態に入る。ここで、ＣＣ１はＰＣＣであり、ＰｃｅｌｌはＣＣ１におけるサービングセルである。
【０１２７】
サービスの要求のため、ネットワーク側はＣＣ２をＵＥに構成してキャリア・アグリゲーションを行うので、現在のＵＥによって同時に使用されているコンポーネントキャリアはＣＣ１とＣＣ２である。ここで、ＣＣ１はＰＣＣであり、ＣＣ２はＳＣＣであり、ＳｃｅｌｌはＣＣ２におけるサービングセルである。
【０１２８】
図１１ａに示すように、ＵＥはキャリア・アグリゲーションセル２へ移動する。ソース基地局はターゲット基地局へのハンドオーバを決定し、ＵＥをキャリア・アグリゲーションセル２にハンドオーバする。ソース基地局がターゲット基地局に送信したハンドオーバ要求メッセージには、ＵＥのソース基地局における測定タスクが含まれ、更に、ＵＥの現在使用中のキャリアの情報、例えばＳ−ＣＣ１とＳ−ＣＣ２の情報、ＣＣ１がＰＣＣである等の情報も含まれてもよい。
【０１２９】
ターゲット基地局はソース基地局のハンドオーバ要求メッセージを受信した後、キャリア・アグリゲーションセル２におけるＣＣ１、ＣＣ３及びＣＣ４をＵＥに構成することを決定し、ＣＣ３がＰＣＣであると指示する。ターゲット側はＣＣ２をＵＥに構成しないため、ソース側ＣＣ２のＳｃｅｌｌに関連する測定タスク（ＭＩＤ＃４／５／６）は削除されない。
【０１３０】
ソース側はターゲット側において構成されたＣＣ４とＣＣ１をＵＥに構成せず、測定対象がターゲット側ＣＣ４及びＣＣ１である測定タスク（ＭＩＤ＃８−１１）は保留される。他のキャリア周波数（プライマリキャリア周波数及びセカンダリキャリア周波数以外のキャリア周波数）の測定タスク（ＭＩＤ＃１２）は保留される。
【０１３１】
Ｓ−Ｐｃｅｌｌ（ソース側Ｐｃｅｌｌ）とＴ−Ｐｃｅｌｌ（ターゲット側Ｐｃｅｌｌ）が異なる周波数に属し、且つターゲットＰｃｅｌｌが属する周波数（ＣＣ３）が測定対象である場合、全ての測定タスク（ＭＩＤ＃１／２／３とＭＩＤ＃７−１２）に対して次のような処理が実行される。
【０１３２】
測定タスクに対応する測定対象がＳ−Ｐｃｅｌｌの属する周波数（ＣＣ１）（ＭＩＤ＃１／２／３）である場合、測定対象はＴ−Ｐｃｅｌｌが属する周波数の測定対象に変更される。測定タスクに対応する測定対象がＴ−Ｐｃｅｌｌの属する周波数（ＣＣ３）（ＭＩＤ＃８／９）である場合、測定対象はＳ−Ｐｃｅｌｌが属する周波数の測定対象（ＭＯ＃１）に変更される。
【０１３３】
図１１ｂに示すように、測定タスクに対する上記処理結果に基づいて、ターゲット基地局はＵＥのために測定タスクのデルタシグナリングを構成する（例えばターゲット側によって構成されたＳｃｅｌｌ（ＳＣＣがＣＣ４とＣＣ１である）に関連する測定タスクを増やす）。
【０１３４】
測定タスクのデルタシグナリングは、ハンドオーバ要求応答メッセージを介してソース基地局に送信される。ソース基地局は受信した後、ハンドオーバコマンドを介してそれをＵＥに送信する。ＵＥは、ハンドオーバコマンドを受信した後、ソースＳｃｅｌｌ（ＳＣＣがＣＣ２である）に関連する測定タスク（ＭＩＤ＃４／５／６）を削除する。
【０１３５】
測定タスクに対応する測定対象がＳ−Ｐｃｅｌｌの属する周波数（ＣＣ１）（ＭＩＤ＃１／２／３）である場合、測定対象はＴ−Ｐｃｅｌｌが属する周波数の測定対象に変更される。測定タスクに対応する測定対象がＴ−Ｐｃｅｌｌの属する周波数（ＣＣ３）（ＭＩＤ＃８／９）である場合、測定対象はＳ−Ｐｃｅｌｌが属する周波数の測定対象に変更される。
【０１３６】
ターゲット側によって構成されたＳｃｅｌｌ（ＳＣＣがＣＣ４とＣＣ１である）の測定タスクは保留される。他のキャリア周波数（プライマリキャリア周波数及びセカンダリキャリア周波数以外のキャリア周波数）の測定タスクは保留される。その後、デルタシグナリングにおける測定タスク構成が実行され、図１１ｃに示す最終的な測定タスク構成が取得される。
【０１３７】
（実施形態５）
図８は本発明に係るＵＥのセル１からセル２へのハンドオーバを示す図である。図８に示すように、ＵＥはＣＣ１に属し、ＣＣ１においてＲＲＣ接続確立を開始する。ＲＲＣ接続確立プロセスが完了した後、ＵＥはキャリア・アグリゲーションセル２にアクセスして接続状態に入る。このように、キャリア・アグリゲーションシステムの関連規定に従って、ＣＣ１はＰＣＣであり、ＣＣ１におけるサービングセルはＰｃｅｌｌである。
【０１３８】
サービスの要求のため、ネットワーク側はＣＣ２をＵＥに構成してキャリア・アグリゲーションを行い、同時に、ＣＣ２のセル識別子（ＣＩ：Ｃｅｌｌ  Ｉｄｅｎｔｉｆｙ）は１であり、ＣＣ１のＣＩがあってもなくてもよいとＵＥに通知する。このため、現在のＵＥによって同時に使用されているコンポーネントキャリアはＣＣ１とＣＣ２である。ここで、ＣＣ１はＰＣＣであり、ＣＣ２はＳＣＣであり、ＳｃｅｌｌはＣＣ２におけるサービングセルである。
【０１３９】
基地局は、ＵＥのために測定対象がＣＣ１／ＣＣ２／ＣＣ３である測定タスクを構成する。ソース基地局は、ＵＥの移動プロセスにおいて、ＣＣ２におけるＳｃｅｌｌ信号品質が悪くなることを検出し、ＣＣ２の代わりにＣＣ３を使うとことを決定する。同時に、ソース基地局は、ＣＣ３のＣＩが１であるとＵＥに指示し、ＲＲＣ再構成コマンドを介してＵＥに通知する。同時にソース基地局は、元Ｓｃｅｌｌ（ＣＣ２における）の測定タスクに対応する測定対象を再構成後のターゲット周波数（ＣＣ３）に変更し、現在の測定タスク構成に基づいて測定タスク構成のデルタシグナリングをＵＥに構築する。
【０１４０】
ＵＥは当該再構成コマンドを受信した後、ＣＣ２をＣＣ３に切り替える関連処理を実行し、測定タスクに対して次の処理を実行する。ＵＥは、元Ｓｃｅｌｌ（ＣＣ２における）の測定タスクに対応する測定対象を再構成後のターゲット周波数（ＣＣ３）に変更し、その後、ＲＲＣ再構成コマンドにおける測定タスク構成のデルタシグナリングを実行する。この時、ＵＥと基地局の測定タスク構成が完全に一致する。
【０１４１】
上記ステップにおいて、ソース基地局は、ＣＣ２の代わりにＣＣ４を使うことを決定した場合、同時にＣＣ４のＣＩが１であるとＵＥに指示し、ＲＲＣ再構成コマンドを介してＵＥに通知する。同時に、ソース基地局は、元Ｓｃｅｌｌ（ＣＣ２における）のＳｃｅｌｌに関連する測定タスクを削除し、現在の測定タスク構成に基づいて、測定タスク構成のデルタシグナリングをＵＥに構築する。
【０１４２】
ＵＥは当該再構成コマンドを受信した後、ＣＣ２をＣＣ４に切り替える関連処理を実行し、測定タスクに対して次の処理を実行する。ＵＥは、元Ｓｃｅｌｌ（ＣＣ２における）のＳｃｅｌｌに関連する測定タスクを削除し、その後、ＲＲＣ再構成コマンドにおける測定タスク構成のデルタシグナリングを実行する。この時、ＵＥと基地局の測定タスク構成が完全に一致する。
【０１４３】
その後、ソース基地局は、ＣＣ３におけるＳｃｅｌｌ信号品質が悪くなることを検出すると、ＣＣ３を削除し、即ちＣＩが１であるＳｃｅｌｌを削除すること決定する。ソース基地局は、ＲＲＣ再構成コマンドを介して削除をＵＥに通知し、同時に、元Ｓｃｅｌｌ（ＣＣ３における）に関連する測定タスク（ＲＲＣ再構成コマンドには、タスクを削除する必要なＭＩＤが含まれてよく、含まれなくてもよい）を削除する。さらにソース基地局は、現在の測定タスク構成に基づいて測定タスク構成のデルタシグナリングをＵＥに構築する。
【０１４４】
ＵＥは当該再構成コマンドを受信した後、ＣＣ３を削除する関連処理を実行し、測定タスクに対して次のような処理を実行する。ＵＥは、元Ｓｃｅｌｌ（ＣＣ３における）に関連する測定タスクを削除し、その後、ＲＲＣ再構成コマンドにおける測定タスク構成のデルタシグナリングを実行する。この時、ＵＥと基地局の測定タスク構成が完全に一致する。
【０１４５】
（実施形態６）
図１２に示すように、ＵＥはＣＣ１に属し、ＣＣ１においてＲＲＣ接続確立を開始する。ＲＲＣ接続確立プロセスが完了した後、ＵＥはキャリア・アグリゲーションセル１にアクセスして接続状態に入る。ＣＣ１はＰＣＣであり、ＰｃｅｌｌはＣＣ１におけるサービングセルである。
【０１４６】
サービスの要求のため、ネットワーク側はＣＣ２をＵＥに構成してキャリア・アグリゲーションを行うので、現在のＵＥによって同時に使用されているコンポーネントキャリアはＣＣ１とＣＣ２である。ここで、ＣＣ１はＰＣＣであり、ＣＣ２はＳＣＣであり、ＳｃｅｌｌはＣＣ２におけるサービングセルである。キャリア・アグリゲーションセル１は基地局１に属し、これはＬＴＥ−Ａの基地局である。
【０１４７】
ＵＥは、ＬＴＥセル２に移動する。ＬＴＥセル２は基地局２に属し、これはＬＴＥの基地局である。ソース基地局はターゲット基地局へハンドオーバすることを決定し、ＵＥをＬＴＥセル２にハンドオーバし、ＣＣ３を使用する。ターゲット基地局はＬＴＥシステムであるため、１つのキャリアのみをサポートし、測定タスクに対する処理はＬＴＥシステムの処理原則を採用する。
【０１４８】
従って、ソース基地局は、ターゲット基地局へハンドオーバ要求メッセージを送信すると同時に、ＳＣＣを削除するようにＵＥに通知し、又は、ハンドオーバコマンドにおいてＳＣＣを削除するようにＵＥに通知する。ＵＥはハンドオーバコマンドを受信した場合に、自動的にＳＣＣを削除する（ハンドオーバコマンドにＳＣＣを削除するように明確に表示されていない場合、ＵＥは自ら削除してもよい）。
【０１４９】
同時にＵＥは、自動的に当該ＳＣＣ（ＣＣ２）のＳｃｅｌｌに関連した測定タスクを削除する。又はソース基地局は、ＲＲＣシグナリングを介して当該ＳＣＣ（ＣＣ２）のＳｃｅｌｌに関連した測定タスクを削除するようにＵＥに通知する。又はソース基地局はＵＥに、測定対象がＳＣＣ（ＣＣ２）の属する周波数ポイントである測定タスクをＵＥが自動的に削除するように通知する。
【０１５０】
又はソース基地局は、ＲＲＣシグナリングを介して測定対象がＳＣＣ（ＣＣ２）の属する周波数ポイントである測定タスクを削除するようにＵＥに通知する。このように、ＵＥは１つのキャリアのみを使用し、それはＣＣ１である。
【０１５１】
この時、ソース基地局がターゲット基地局に送信したハンドオーバ要求メッセージには、ＵＥのソース基地局における測定タスク（この時、ＳＣＣに関連する測定タスクは既に削除されているが、測定対象キャリア周波数がＳＣＣの属する周波数ポイントのＰｃｅｌｌに関連する測定タスクはまだ保留されており、又は測定対象キャリア周波数がＳＣＣである測定タスクは全て削除されている）が含まれ、更に、ＵＥの現在使用中のキャリア情報（例えばＳ−ＣＣ１）が含まれる。
【０１５２】
ターゲット基地局は、ソース基地局のハンドオーバ要求メッセージを受信した後、Ｓ−Ｐｃｅｌｌ（ソース側Ｐｃｅｌｌ）とＴ−Ｐｃｅｌｌ（ターゲット側Ｐｃｅｌｌ）が異なる周波数に属し、且つターゲットＰｃｅｌｌの所在する周波数（ＣＣ３）が測定対象である場合、Ｓ−Ｐｃｅｌｌに関連する測定タスクに対して次のような処理を実行する。
【０１５３】
測定タスクに対応する測定対象がＳ−Ｐｃｅｌｌの所在する周波数（ＣＣ１）である場合、測定対象はＴ−Ｐｃｅｌｌの属する周波数の測定対象に変更される。測定タスクに対応する測定対象がＴ−Ｐｃｅｌｌの属する周波数（ＣＣ３）である場合、測定対象はＳ−Ｐｃｅｌｌが属する周波数の測定対象に変更される。他のキャリア周波数（プライマリキャリア周波数及びセカンダリキャリア周波数以外のキャリア周波数）の測定タスクは保留される。
【０１５４】
ターゲット基地局は、上記測定タスクの処理結果に基づいて、ＵＥのために測定タスクのデルタシグナリングを構成する。ターゲット基地局は、ハンドオーバ要求応答メッセージを介して測定タスクのデルタシグナリングをソース基地局に送信する。ソース基地局はそれを受信した後、ハンドオーバコマンドを介してＵＥに送信する。
【０１５５】
ＵＥがハンドオーバコマンドを受信した後、測定タスクに対応する測定対象がＳ−Ｐｃｅｌｌの属する周波数（ＣＣ１）である場合、測定対象はＴ−Ｐｃｅｌｌが属する周波数の測定対象に変更される。測定タスクに対応する測定対象がＴ−Ｐｃｅｌｌの属する周波数（ＣＣ３）である場合、測定対象はＳ−Ｐｃｅｌｌが属する周波数の測定対象に変更される。
【０１５６】
他のキャリア周波数（プライマリキャリア周波数及びセカンダリキャリア周波数以外のキャリア周波数）の測定タスクは保留される。その後、デルタシグナリングにおける測定タスク構成が実行され、最終的な測定タスク構成が取得される。
【０１５７】
（実施形態７）
図１３は本発明に係るＵＥのセル１からセル２への再確立を示す図である。図１３に示すように、ＵＥはＣＣ１に属し、ＣＣ１においてＲＲＣ接続確立を開始する。ＲＲＣ接続確立プロセスが完了した後、ＵＥはキャリア・アグリゲーションセル１にアクセスして接続状態に入る。ＣＣ１はＰＣＣであり、ＰｃｅｌｌはＣＣ１におけるサービングセルである。
【０１５８】
サービスの要求のため、ネットワーク側はＣＣ２をＵＥに構成してキャリア・アグリゲーションを行うので、現在のＵＥによって同時に使用されているコンポーネントキャリアはＣＣ１とＣＣ２である。ここで、ＣＣ１はＰＣＣであり、ＣＣ２はＳＣＣであり、ＳｃｅｌｌはＣＣ２におけるサービングセルである。
【０１５９】
ＵＥはキャリア・アグリゲーションセル２へ移動する。ソース基地局はターゲット基地局へハンドオーバすること決定し、ＵＥをキャリア・アグリゲーションセル２にハンドオーバし、ＣＣ２、ＣＣ３及びＣＣ４を構成する。ここで、ＣＣ３はＰＣＣである。ソース基地局がターゲット基地局に送信したハンドオーバ要求メッセージには、ＵＥのソース基地局における測定タスクが含まれ、更に、ＵＥの現在使用中のキャリアの情報、例えばＳ−ＣＣ１とＳ−ＣＣ２の情報、ＣＣ１がＰＣＣである等の情報が含まれてもよい。
【０１６０】
ターゲット基地局は、ソース基地局のハンドオーバ要求メッセージを受信した後、測定対象のキャリア周波数がソース側ＳＣＣ（即ちＣＣ２）の属する周波数ポイントである測定タスクを全て削除する。ターゲット基地局は、測定対象のキャリア周波数がターゲット側ＳＣＣ（即ちＣＣ２とＣＣ４）が属する周波数ポイントである測定タスクを全て削除する。
【０１６１】
測定タスクに対応する測定対象がＳ−Ｐｃｅｌｌの属する周波数（ＣＣ１）である場合、測定対象はＴ−Ｐｃｅｌｌが属する周波数の測定対象に変更される。測定タスクに対応する測定対象がＴ−Ｐｃｅｌｌが属する周波数（ＣＣ３）である場合、測定対象はＳ−Ｐｃｅｌｌが属する周波数の測定対象に変更される。他のキャリア周波数（プライマリキャリア周波数及びセカンダリキャリア周波数以外のキャリア周波数）の測定タスクは保留される。
【０１６２】
ターゲット基地局は、上記測定タスク処理の結果に基づいて、ＵＥのために測定タスクのデルタシグナリングを構成する。ターゲット基地局は、ハンドオーバ要求応答メッセージを介してソース基地局に測定タスクのデルタシグナリングを送信する。ソース基地局はそれを受信した後、ハンドオーバコマンドを介してＵＥに送信する。
【０１６３】
ＵＥはハンドオーバコマンドを受信した後、測定対象のキャリア周波数がソース側ＳＣＣ（即ちＣＣ２）の属する周波数ポイントである測定タスクを全て削除する。ＵＥは、測定対象のキャリア周波数がターゲット側ＳＣＣ（即ちＣＣ２とＣＣ４）の属する周波数ポイントである測定タスクを全て削除する。
【０１６４】
測定タスクに対応する測定対象がＳ−Ｐｃｅｌｌの属する周波数（ＣＣ１）である場合、測定対象はＴ−Ｐｃｅｌｌが属する周波数の測定対象に変更される。測定タスクに対応する測定対象がＴ−Ｐｃｅｌｌの所在する周波数（ＣＣ３）である場合、測定対象はＳ−Ｐｃｅｌｌが属する周波数の測定対象に変更される。ＣＣ４の測定タスクは保留され、その後、デルタシグナリングにおける測定タスク構成が実行され、最終的な測定タスク構成が取得される。
【０１６５】
上記プロセスにおいて、ソース側ＳＣＣ（即ちＣＣ２）はその中の１つのターゲット側ＳＣＣ（即ちＣＣ２とＣＣ４）と同一キャリア周波数（即ちＣＣ２）であるので、測定対象のキャリア周波数が当該ソース側ＳＣＣ（即ちＣＣ２）である測定タスクは保留される。測定対象がターゲット側ＳＣＣ（即ちＣＣ４）の属する周波数ポイントである測定タスクのみが削除され、ＵＥとネットワーク側の動作が一致する。ターゲット基地局は、更に、上記測定タスク処理の結果に基づいて、ＵＥのために測定タスクのデルタシグナリングを構成する。
【０１６６】
図１４は本発明に係るキャリア・アグリゲーションシステムにおける測定タスクの処理システムの実施形態１の構成を示す図である。図１４に示すように、本発明に係るキャリア・アグリゲーションシステムにおける測定タスクの処理システムは、削除ユニット１４０を含む。削除ユニット１４０は、全てのソースＳｃｅｌｌに関連する測定タスクを削除し、又は、既に削除されたソースＳｃｅｌｌにおけるＳｃｅｌｌに関連する測定タスクを削除する。
【０１６７】
図１５は本発明に係るキャリア・アグリゲーションシステムにおける測定タスクの処理システムの実施形態２の構成を示す図であり、図１４に示されるシステムに基づく。本実施形態に係るキャリア・アグリゲーションシステムにおける測定タスクの処理システムは、再構成ユニット１４１と変更ユニット１４２を更に含む。
【０１６８】
再構成ユニット１４１は、ソースＳｃｅｌｌを測定対象が存在する別の周波数に再構成する。前記削除ユニットは、当該再構成されたソースＳｃｅｌｌに関連する測定タスクを削除しない。
【０１６９】
変更ユニット１４２は、ソースＳｃｅｌｌに関連する測定タスクに対応する測定対象を、再構成後の周波数の測定対象に変更する。
【０１７０】
上記ソースＳｃｅｌｌが削除されるプロセスにおいて、構成された後、削除されたソースＳｃｅｌｌ周波数と同じ周波数の新しいＳｃｅｌｌは存在せず、又は、ソースセカンダリサービングセルＳｃｅｌｌに対応するキャリア識別子は存在しない。
【０１７１】
ソースＳｃｅｌｌが測定対象が存在する別の周波数に再構成されるプロセスにおいては、ソースＳｃｅｌｌのキャリア識別子は変更されず、当該ソースＳｃｅｌｌの周波数が変更される。
【０１７２】
上記変更ユニット１４２は、更に、ソース基地局がＵＥに構成した測定対象に新しいＰｃｅｌｌのキャリア周波数が含まれ、測定タスクに関連する測定対象がターゲットＰｃｅｌｌの属する周波数である場合、対応する測定対象を、新しいＰｃｅｌｌが属する周波数の測定対象に変更する。
【０１７３】
変更ユニット１４２は、測定タスクに関連する測定対象がソースＰｃｅｌｌの属する周波数である場合、測定対象を、新しいＰｃｅｌｌが属する周波数の測定対象に変更する。変更ユニット１４２は、その他に、ソースＰｃｅｌｌが属する周波数に対応する測定タスクを削除し、これにより、ソースＰｃｅｌｌとターゲットＰｃｅｌｌが異なる周波数に属する。
【０１７４】
図１６は本発明に係るキャリア・アグリゲーションシステムにおける測定タスクの処理システムの実施形態３の構成構造を示す図であり、図１４に示されるシステムに基づく。本実施形態に係るキャリア・アグリゲーションシステムにおける測定タスクの処理システムは、保留ユニット１４３をさらに含む。
【０１７５】
保留ユニット１４３は、測定対象がソースプライマリキャリア周波数及びセカンダリキャリア周波数以外のキャリア周波数である測定タスクが存在する場合、前記測定タスクを保留する。
【０１７６】
図１７は本発明に係るキャリア・アグリゲーションシステムにおける測定タスクの処理システムの実施形態４の構成を示す図である。図１７に示すように、本発明に係るキャリア・アグリゲーションシステムにおける測定タスクの処理システムは、削除ユニット１７０、保留ユニット１７１及び変更ユニット１７２を含む。
【０１７７】
削除ユニット１７０は、測定対象がソース側Ｓｃｅｌｌ及び／又はターゲット側Ｓｅｃｌｌが属するキャリア周波数である測定タスクを削除する。
【０１７８】
保留ユニット１７１は、ソース側Ｓｃｅｌｌとターゲット側Ｓｃｅｌｌが属する周波数が同じであるセカンダリキャリア周波数に対して、測定対象が当該同じセカンダリキャリア周波数である測定タスクを保留する。
【０１７９】
変更ユニット１７２は、ターゲットＰｃｅｌｌが属する周波数が測定対象であり、測定対象がソース側Ｐｃｅｌｌの属するキャリア周波数である測定タスクである場合、測定対象をターゲットＰｃｅｌｌが属する周波数の測定対象に変更する。変更ユニット１７２は、測定対象がターゲット側Ｐｃｅｌｌの属するキャリア周波数である測定タスクである場合、測定対象を、ソースＰｃｅｌｌの属する周波数の測定対象に変更する。これにより、ソースＰｃｅｌｌとターゲットＰｃｅｌｌが異なる周波数に属する。
【０１８０】
図１８は本発明に係るキャリア・アグリゲーションシステムにおける測定タスクの処理システムの実施形態５の構成構造を示す図である。図１８に示すように、本発明に係るキャリア・アグリゲーションシステムにおける測定タスクの処理システムは、削除ユニット１８０を含む。
【０１８１】
削除ユニット１８０は、Ｓｃｅｌｌが削除される場合、当該Ｓｃｅｌｌに関連する測定タスクを削除し、又は、測定対象が当該Ｓｃｅｌｌの属するするキャリア周波数である測定タスクを削除する。
【０１８２】
本発明に係るキャリア・アグリゲーションシステムにおける測定タスクの処理システムは上記本発明に係るキャリア・アグリゲーションシステムにおける測定タスクの処理方法を実現するために設定されたものであること、並びに、上記各処理ユニットが実現する機能は、それぞれ前記実施形態１〜実施形態７の関連説明を参照しながら理解されることが当業者であれば理解されるであろう。各図における各処理ユニットの機能はプロセッサにおいて動作するプログラムによって実現されてもよく、具体的なロジック回路によって実現されてもよい。
【０１８３】
以上の全ての実施形態は、本発明の好的な実施形態に過ぎず、本発明の保護範囲を限定するものではない。
【図１】
0005878918.tif 000002
【図２】
0005878918.tif 000003
【図３】
0005878918.tif 000004
【図４】
0005878918.tif 000005
【図５ａ】
0005878918.tif 000006
【図５ｂ】
0005878918.tif 000007
【図５ｃ】
0005878918.tif 000008
【図６】
0005878918.tif 000009
【図７ａ】
0005878918.tif 000010
【図７ｂ】
0005878918.tif 000011
【図７ｃ】
0005878918.tif 000012
【図８】
0005878918.tif 000013
【図９ａ】
0005878918.tif 000014
【図９ｂ】
0005878918.tif 000015
【図９ｃ】
0005878918.tif 000016
【図１０】
0005878918.tif 000017
【図１１ａ】
0005878918.tif 000018
【図１１ｂ】
0005878918.tif 000019
【図１１ｃ】
0005878918.tif 000020
【図１２】
0005878918.tif 000021
【図１３】
0005878918.tif 000022
【図１４】
0005878918.tif 000023
【図１５】
0005878918.tif 000024
【図１６】
0005878918.tif 000025
【図１７】
0005878918.tif 000026
【図１８】
0005878918.tif 000027